(57)【特許請求の範囲】
【請求項１】
被収容物を収容する収容部を備えたＰＴＰシートにおいて、収容部が１個となるようにＰＴＰシートを切り取った場合に生ずる収容部が１個のＰＴＰシート（１収容単位）に、収容部の他に、ＰＴＰシートを互いに着脱可能とする結合部としてポケットが形成されていることを特徴とするＰＴＰシート。
【請求項２】
被収容物の違いによって、結合部のポケットに特徴をもたせ、独自の結合部になるように形成した請求項１記載のＰＴＰシート。ここで特徴をもたせるとは、結合部のポケットの形態上の特徴を決める、寸法や配置、個数、形状の４つの要素の内少なくとも１つ以上変えることで差異を持たせることである。
【発明の詳細な説明】
【技術分野】
【０００１】      本発明は、ＰＴＰ（Ｐｒｅｓｓ  Ｔｈｒｏｕｇｈ  Ｐａｃｋａｇｅ）シートに関する。
【背景技術】
【０００２】      従来、錠剤やカプセル剤などの包装には、ＰＴＰシートが用いられる機会が多い。ＰＴＰシートは、被収容物を収容する収容部が形成された収容用シートと収容部を被覆する蓋用シートから構成され、収容用シートを押圧して蓋用シートを破ることにより、被収容物を取りだすことができるようになっている。【０００３】      現在使用されているＰＴＰシートの多くは、ＰＴＰシートの切り離し線（スリットやミシン目等）が縦方向または横方向にのみ設けられているため、ハサミやカッター等を用いない限り、収容部が１個のＰＴＰシート（１収容単位）にはならないように工夫されている。この工夫により、被収容物を取り出さずに１収容単位をシートごと飲み込んでしまう誤飲事故の防止が図られている。
【発明の概要】
【発明が解決しようとする課題】
【０００４】      しかしながら調剤においては、薬剤のロット管理や在庫管理等の点から、ＰＴＰシートを１収容単位に切り取らずに調剤することは難しく、切り取った１収容単位を輪ゴムやテープ等で同種の他のＰＴＰシートと一緒にして投薬しているため、紛失や誤飲の防止が図れない。【０００５】      また１収容単位は、添付文書の間に入り込んだり、調剤時に紛れ込んだりするため、薬局での取扱上も望ましくない。【０００６】      さらに、ＰＴＰシートを１収容単位に切り離してしまうと、ＰＴＰシートに印字された被収容物の名前が判別しにくいＰＴＰシートもあり、調剤ミスにつながる危険もある。【０００７】      また、ＰＴＰシートを切り離して生じた収容部が２個のＰＴＰシートや収容部が３個のＰＴＰシート等を組み合わせて調剤した場合、余り物を寄せ集めたようで外観が悪くなってしまう。【０００８】      そこで本研究は、ＰＴＰシートにおいて、切り取られたＰＴＰシートを別のＰＴＰシートに結合することが可能なＰＴＰシートを提供することを課題とする。
【課題を解決するための手段】
【０００９】      上記課題を解決するための請求項１の発明は、被収容物を収容する収容部を備えたＰＴＰシートにおいて、収容部が１個となるようにＰＴＰシートを切り取った場合に生ずる収容部が１個のＰＴＰシート（１収容単位）に、収容部の他に、ＰＴＰシートを互いに着脱可能とする結合部としてポケットが形成されていることを特徴とするＰＴＰシートである。【００１０】      請求項２の発明は、被収容物の違いによって、結合部のポケットに特徴（寸法、配置、個数、形状）をもたせ、独自の結合部になるように形成した請求項１記載のＰＴＰシートである。
【発明の効果】
【００１１】      請求項１の発明に係るＰＴＰシートでは、１収容単位に切り取ってしまっても、結合部のポケットを用いることで、結合可能な結合部を持つＰＴＰシートと結合することが可能となる。そのため、１収容単位を結合可能な結合部を持つＰＴＰシートに結合させることで、１収容単位の紛失や誤飲の問題、添付文書の間に入り込んだり、調剤時に紛れ込んだりする等の薬局における取扱上の問題を解決することができる。
また、ＰＴＰシートを切り離して生じた、収容部が２個のＰＴＰシートや３個のＰＴＰシート等を組み合わせて調剤した場合でも、ＰＴＰシートを結合させることで、余り物を寄せ集めたような外観を改善することが可能となる。【００１２】      請求項２の発明に係るＰＴＰシートでは、被収容物が異なる場合、ＰＴＰシートを結合することができないため、１収容単位に印字された被収容物の名前が判別しにくくても、被収容物が同一である他のＰＴＰシートに結合させることで、調剤ミスの危険性を減らすことができる。
【図面の簡単な説明】
【００１３】
【図１】  本発明の第１実施形態に係るＰＴＰシートの結合時の平面図
【図２】  本発明の第１実施形態に係るＰＴＰシートの平面図
【図３】  図２に示すＰＴＰシートの１収容単位の平面図
【図４】  図３に示すＰＴＰシートをＡ１−Ａ２線で切断した場合の断面図
【図５】  図１に示すＰＴＰシートをＢ１−Ｂ２線で切断した場合の断面図
【図６】  本発明の第２実施形態に係るＰＴＰシートの平面図
【発明を実施するための形態】
【００１４】      本発明の第１実施形態に係るＰＴＰシートについて、図１〜５を用いて説明する。
【００１５】      本実施形態ＰＴＰシート（図２）は、図３に示すように、収容部２０が１個となるようにＰＴＰシートを切り取った場合に生ずる１収容単位に、収容部の他にＰＴＰシートを互いに着脱可能とする結合部としてポケット３０が形成されている。
【００１６】      結合部のポケット３０は、図４に示すような途中がくぼんだポケットを用いると、ＰＴＰシートを互いに着脱可能とし、かつ結合時には離れにくくなるので望ましい。また、結合させる２つのＰＴＰシートのどちらを上にしても結合することが可能となるように、結合する側と結合される側のポケットの形状は同一である方が望ましい。
【００１７】      上述したＰＴＰシートにおいて、１収容単位（図３）を結合可能な結合部を持つＰＴＰシート（図２）に結合する場合には、結合部のポケット３０を結合させて（図５）、図１に示すように１枚のＰＴＰシートとして扱うことが可能となる。このとき片方のＰＴＰシートの結合部は、ポケットを覆っている蓋用シートが破かれることになる。
【００１８】      上記のようにＰＴＰシートを結合させることで、調剤時に１収容単位の扱いに困ったり、投薬時に紛失や誤飲を危惧したりする負担を減らすことが可能となる。
【００１９】      本発明の第２実施形態に係るＰＴＰシートについて、図３と図６を用いて説明する。
【００２０】図６は結合部のポケット３１に、被収容物の種類ごとに独自のポケットとなるように特徴をもたせて形成したＰＴＰシートである。例えば、図６のポケット３１は図３のポケット３０とは特徴が異なるので結合することができない。
【００２１】      かかるＰＴＰシートは、１収容単位に切り離すと被収容物の種類が特定しにくい場合でも、結合部が一致していることを確認するだけで、同一な被収容物であることの判別が可能である。
【００２２】  なお、例示した各実施形態においては、１収容単位の上方に結合部を１つ持つ形態を示したが、１収容単位に設ける結合部の特徴や結合部のポケットの特徴はこれに限定されるものではなく、種々変更可能である。ここで特徴とは、その寸法や配置、個数、形状についての特徴のことである。
【００２３】      また、例示した実施形態においては、１枚のＰＴＰシートに１０個の収容部をもつＰＴＰシートを示したが（図２）、１枚のＰＴＰシートに設ける収容部の個数はこれに限定されるものではない。
【００２４】      また、例示した実施形態においては、蓋用シートが結合部を覆っているため、結合時に蓋用シートを破る方法を示したが、必ずしも蓋用シートが結合部を覆っている必要はない。
【符号の説明】
【００２５】      １０  収容用シート
２０  収容部のポケット（被収容物を収容する）
３０  結合部のポケット（ＰＴＰシートを互いに着脱可能とする）
３１  結合部のポケット（被収容部の種類ごとに独自の形状にしたポケット）
４０  切り離し線
５０  蓋用シート
６０  被収容物
【要約】
【課題】  細かく切り離したＰＴＰシートの紛失や誤飲を防止するＰＴＰシートを提供する。
【解決手段】  ＰＴＰシートに結合部としてポケットを設けることで、ＰＴＰシートを結合可能とし、細かく切り離しても結合させることで１枚のＰＴＰシートのように扱うことができるようにする。
【選択図】図１【図１】
0005843083.tif 000002
【図２】
0005843083.tif 000003
【図３】
0005843083.tif 000004
【図４】
0005843083.tif 000005
【図５】
0005843083.tif 000006
【図６】
0005843083.tif 000007